【手続補正書】
【提出日】平成16年3月25日(2004.3.25)
【手続補正１】
【補正対象書類名】明細書
【補正対象項目名】特許請求の範囲
【補正方法】変更
【補正の内容】
【特許請求の範囲】
【請求項１】
カード基材上に、光学変化素子層、受像層をこの順に積層して構成し、前記光学変化素子層が金属イオン含有化合物を含有し、前記受像層に識別情報及び書誌情報から選ばれる少なくとも１つを記録形成後、電離放射線硬化層を有することを特徴とする画像記録体。
【請求項２】
カード基材上に、光学変化素子層、受像層をこの順に積層して構成し、前記カード基材と前記光学変化素子層の間にクッション層を有し、前記受像層に識別情報及び書誌情報から選ばれる少なくとも１つを記録形成後、電離放射線硬化層を有することを特徴とする画像記録体。
【請求項３】
前記光学変化素子層が、透明薄膜層と片面に刻印を有するホログラム形成層を有することを特徴とする請求項１または請求項２に記載の画像記録体。
【請求項４】
前記透明薄膜層が、前記カード基材側に位置することを特徴とする請求項１乃至請求項３のいずれか１項に記載の画像記録体。
【請求項５】
前記受像層が、金属イオン含有化合物を含有することを特徴とする請求項１に記載の画像記録体。
【請求項６】
前記光学変化素子層の金属イオン含有化合物の濃度が、前記受像層の金属イオン含有化合物の濃度より大きいことを特徴とする請求項５に記載の画像記録体。
【請求項７】
前記クッション層の引張弾性率が２００ｋｇ／ｍｍ2以下、破断伸びが１００％以上であることを特徴とする請求項２に記載の画像記録体。
【請求項８】
前記クッション層が、ポリオレフィン層であることを特徴とする請求項２または請求項７に記載の画像記録体。
【請求項９】
前記クッション層が、湿気硬化型ホットメルト接着剤の硬化物であることを特徴とする請求項２または請求項７に記載の画像記録体。
【請求項１０】
前記カード基材の光学変化素子層側に対して反対側に、筆記層を有することを特徴とする請求項１または請求項２に記載の画像記録体。
【請求項１１】
前記カード基材は、ＩＣモジュールを内蔵することを特徴とする請求項１または請求項２に記載の画像記録体。
【請求項１２】
フィルム基材上に、剥離層、光学変化素子層をこの順に形成してなる光学変化素子転写箔上に、２液硬化型接着層を形成し、さらに、別のカード基材上に２液硬化型接着層を形成し、それぞれの２液硬化型接着層が接するように加熱加圧貼合した後、前記フィルム基材を剥がして得られるカード基材の光学変化素子層上に、さらに熱転写記録可能な受像層を形成することを特徴とする画像記録体形成方法。
【請求項１３】
フィルム基材上に、剥離層、光学変化素子層をこの順に積層した光学変化素子転写箔の光学変化素子層側に、湿気硬化型ホットメルト接着剤層を塗工し、カード基材に対向させ、加熱ロールで加圧してラミネート後、フィルム基材を剥離して作成したカード基材に２液硬化型接着層を形成後、受像層を塗布して形成することを特徴とする画像記録体形成方法。
【請求項１４】
フィルム基材上に、剥離層、受像層、光学変化素子層、感熱接着層をこの順に積層した光学変化素子転写箔の感熱接着層側を、表面がクッション性を有するカード基材側に対向させ、加熱ロールで加圧してラミネート後、フィルム基材を剥離して形成することを特徴とする画像記録体形成方法。
【請求項１５】
フィルム基材上に、剥離層、受像層、光学変化素子層をこの順に積層した光学変化素子転写箔の光学変化素子層側に、湿気硬化型ホットメルト接着剤を塗工し、カード基材に対向させ、加熱ロールで加圧してラミネート後、フィルム基材を剥離して形成することを特徴とする画像記録体形成方法。
【請求項１６】
前記光学変化素子層が金属イオン含有化合物を含有することを特徴とする請求項１２乃至請求項１５のいずれか１項に記載の画像記録体形成方法。
【請求項１７】
前記２液硬化型接着層が形成された光学変化素子転写箔とカード基材の間にポリオレフィン層を供給挿入して貼合せることを特徴とする請求項１２または請求項１３に記載の画像記録体形成方法。
【請求項１８】
前記ポリオレフィン層が、エクストルージョン方式で供給して形成されることを特徴とする請求項１７に記載の画像記録体形成方法。
【請求項１９】
前記カード基材、ポリオレフィン層、受像層のいずれか一方が白色であることを特徴とする請求項１２乃至請求項１５のいずれか１項に記載の画像記録体形成方法。
【請求項２０】
前記カード基材が、光学変化素子層側と反対側に筆記層を有することを特徴とする請求項１２乃至請求項１５のいずれか１項に記載の画像記録体形成方法。
【手続補正２】
【補正対象書類名】明細書
【補正対象項目名】００３２
【補正方法】変更
【補正の内容】
【００３２】
請求項１３に記載の発明は、『フィルム基材上に、剥離層、光学変化素子層をこの順に積層した光学変化素子転写箔の光学変化素子層側に、湿気硬化型ホットメルト接着剤層を塗工し、カード基材に対向させ、加熱ロールで加圧してラミネート後、フィルム基材を剥離して作成したカード基材に２液硬化型接着層を形成後、受像層を塗布して形成することを特徴とする画像記録体形成方法。』である。


【手続補正３】
【補正対象書類名】明細書
【補正対象項目名】００３４
【補正方法】変更
【補正の内容】
【００３４】
請求項１４に記載の発明は、『フィルム基材上に、剥離層、受像層、光学変化素子層、感熱接着層をこの順に積層した光学変化素子転写箔の感熱接着層側を、表面がクッション性を有するカード基材側に対向させ、加熱ロールで加圧してラミネート後、フィルム基材を剥離して形成することを特徴とする画像記録体形成方法。』である。


【手続補正４】
【補正対象書類名】明細書
【補正対象項目名】００３６
【補正方法】変更
【補正の内容】
【００３６】
請求項１５に記載の発明は、『フィルム基材上に、剥離層、受像層、光学変化素子層をこの順に積層した光学変化素子転写箔の光学変化素子層側に、湿気硬化型ホットメルト接着剤を塗工し、カード基材に対向させ、加熱ロールで加圧してラミネート後、フィルム基材を剥離して形成することを特徴とする画像記録体形成方法。』である。


【手続補正５】
【補正対象書類名】明細書
【補正対象項目名】００６７
【補正方法】変更
【補正の内容】
【００６７】
図７の実施の形態では、フィルム基材上に、剥離層、光学変化素子層をこの順に積層した光学変化素子転写箔９０の光学変化素子層側に、湿気硬化型ホットメルト接着剤層７１を塗工し、他のシート状のカード基材６０に対向させ、加熱ロール８０で加圧してラミネート後、フィルム基材を剥離して作成したシート状のカード基材に２液硬化型接着層を形成後、受像層を塗布し、光学変化素子層が搭載された熱転写記録が可能な画像記録体が形成される。湿気硬化型ホットメルト接着剤層７１がエクストルージョン方式で供給して形成され、湿気硬化型ホットメルト接着剤層７１がエクストルージョン方式で好ましく形成される。


【手続補正６】
【補正対象書類名】明細書
【補正対象項目名】００６８
【補正方法】変更
【補正の内容】
【００６８】
図８の実施の形態では、フィルム基材上に、剥離層、受像層、光学変化素子層、感熱接着層をこの順に積層した光学変化素子転写箔９０の感熱接着層側を、表面がクッション性を有するシート状のカード基材６０側に対向させ、加熱ロールで加圧してラミネート後、フィルム基材を剥離し、光学変化素子層が搭載された熱転写記録が可能な画像記録体が形成される。


【手続補正７】
【補正対象書類名】明細書
【補正対象項目名】００６９
【補正方法】変更
【補正の内容】
【００６９】
図９の実施の形態では、シート状のカード基材６０に湿気硬化型ホットメルト接着剤７２を塗工し、剥離層、受像層、光学変化素子層をこの順に積層した光学変化素子転写箔９０の光学変化素子層側に、湿気硬化型ホットメルト接着剤７２を塗工したシート状のカード基材６０を対向させ、加熱ロール８１で加圧してラミネート後、フィルム基材を剥離し、光学変化素子層が搭載された熱転写記録が可能な画像記録体が形成される。湿気硬化型ホットメルト接着剤７２をエクストルージョン方式で供給して塗工し、このときの湿気硬化型ホットメルト接着剤７２の温度は加熱ロール８１で加圧するときの温度より高く設定される。


【手続補正８】
【補正対象書類名】明細書
【補正対象項目名】００７２
【補正方法】変更
【補正の内容】
【００７２】
図１０の実施の形態では、フィルム基材上に、剥離層、受像層、光学変化素子層をこの順に積層した光学変化素子転写箔９０の光学変化素子層側に、湿気硬化型ホットメルト接着剤７２を塗工し、シート状のカード基材６０を対向させ、加熱ロール８１で加圧してラミネート後、フィルム基材を剥離し、光学変化素子層が搭載された熱転写記録が可能な画像記録体が形成される。湿気硬化型ホットメルト接着剤７２をエクストルージョン方式で供給して塗工され、このときの湿気硬化型ホットメルト接着剤７２の温度は加熱ロール８１で加圧するときの温度より高く設定される。


【手続補正９】
【補正対象書類名】明細書
【補正対象項目名】００７３
【補正方法】変更
【補正の内容】
【００７３】
図１１の実施の形態では、フィルム基材９１上に、剥離層５２、熱転写色素受像層５３、光学変化素子層５４をこの順に積層した光学変化素子転写箔９０の光学変化素子層５４側に、湿気硬化型ホットメルト接着剤７２を塗工し、枚葉のカード基材６０を対向させ、加熱ロール８２で加圧してラミネート後、フィルム基材９１を剥離し、光学変化素子層５４が搭載された熱転写記録が可能な画像記録体が形成される。枚葉のカード基材６０には、クッション層６１と筆記層６２が形成されている。湿気硬化型ホットメルト接着剤７２をエクストルージョン方式で供給して塗工される。


【手続補正１０】
【補正対象書類名】明細書
【補正対象項目名】００７４
【補正方法】変更
【補正の内容】
【００７４】
図１２の実施の形態では、フィルム基材９１上に、剥離層５２、熱転写色素受像層５３、光学変化素子層５４、接着層５５をこの順に積層した光学変化素子転写箔９０の接着層５５側に、枚葉のカード基材６０を対向させ、加熱ロール８２で加圧してラミネート後、フィルム基材９１を剥離し、光学変化素子層５４が搭載された熱転写記録が可能な画像記録体が形成される。枚葉のカード基材６０には、同様にクッション層６１と筆記層６２が形成され、筆記層６２に筆記することができる。


【手続補正１１】
【補正対象書類名】明細書
【補正対象項目名】００８７
【補正方法】変更
【補正の内容】
【００８７】
さらに、前記コモノマーとしては、エチレン、プロピレン、アクリロニトリル、メタアクリロニトリル、スチレン、クロロスチレン、イタコン酸およびそのアルキルエステル類、クロトン酸およびそのアルキルエステル類、ジクロロエチレン、トリフロロエチレンなどのハロゲン化オレフィン類、シクロペンテン等のシクロオレフィン類、アコニット酸エステル類、ビニルベンゾエート、ベンゾイルビニルエーテル等を挙げることができる。


【手続補正１２】
【補正対象書類名】明細書
【補正対象項目名】００９５
【補正方法】変更
【補正の内容】
【００９５】
さらに、前記コモノマーとしては、エチレン、プロピレン、アクリロニトリル、メタアクリロニトリル、スチレン、クロロスチレン、イタコン酸およびそのアルキルエステル類、クロトン酸およびそのアルキルエステル類、ジクロロエチレン、トリフロロエチレンなどのハロゲン化オレフィン類、シクロペンテン等のシクロオレフィン類、アコニット酸エステル類、ビニルベンゾエート、ベンゾイルビニルエーテル等を挙げることができる。


【手続補正１３】
【補正対象書類名】明細書
【補正対象項目名】００９９
【補正方法】変更
【補正の内容】
【００９９】
［Ｍ（Ｑ1）k（Ｑ2）m（Ｑ3）n］p+ｐ（Ｌ-）
式中、ＭはＮｉ、Ｃｕ、Ｃｕ、Ｃｒ及びＺｎの金属イオンを表し、Ｑ1〜Ｑ3は各々前記金属イオンと配位結合可能な配位化合物を表し、これらの配位化合物としては例えば「キレート化学（５）（南江堂）」に記載されている配位化合物から選択することができる。その内、特に好ましいものとしては、金属と配位結合する少なくとも一個のアミノ基を有する配位化合物を挙げることができ、更に具体的には、エチレンジアミン及びその誘導体、グリシンアミド及びその誘導体、ピコリンアミド及びその誘導体を挙げることができる。又、Ｌ-は錯体を形成しうる対アニオンであり、Ｃｒ、ＳＯ4、ＣｌＯ4、Ｒ−ＳＯ3（Ｒ＝アルキル基又はアリル基）等の無機化合物アニオンやベンゼンスルホン酸誘導体、アルキルスルホン酸誘導体等の有機化合物アニオンが拳げられるが、特に好ましくはテトラフェニルホウ素アニオン及びその誘導体、並びにアルキルベンゼンスルホン酸アニオン及びその誘導体である。ｋは１、２又は３の整数を、ｍは１、２又は０を、ｎは１又は０を表すが、これらは前記一般式で表される錯体が４座配位か、６座配位かによって決定されるか、又はＱ3〜Ｑ3の配位子の数によって決定される。ｐは１、２又は３を表す。


【手続補正１４】
【補正対象書類名】明細書
【補正対象項目名】０１００
【補正方法】変更
【補正の内容】
【０１００】
この種の金属イオン含有化含物としては、米国特許第４，９８７，０４９号に例示されたものを挙げることができる。上記の金属イオンを含有する化合物の添加量は、０．５〜２０ｇ／ｍ2が好ましく、１〜１０ｇ／ｍ2がより好ましい。


【手続補正１５】
【補正対象書類名】明細書
【補正対象項目名】０１０４
【補正方法】変更
【補正の内容】
【０１０４】
式中、Ｚはアルキル基、アリール基、アリールオキシカルボニル基、アルコキシ基、アルコキシカルボニル基、ハロゲン原子及び水素原子を表す。Ｒ及びＲ′はアルキル基並びにアリール基を表し、それぞれ同じでも異なっていてもよく、またＲとＺ或いはＲ′とＺが結合して環を形成してもよいが、Ｚが水素原子のとき、Ｒ及びＲ′が共にメチル基であることはない。


【手続補正１６】
【補正対象書類名】明細書
【補正対象項目名】０１１９
【補正方法】変更
【補正の内容】
【０１１９】
また、受像層中に金属イオン含有化合物が配合されているときには、この金属イオン含有化合物と反応してキレートを形成する昇華性色素を、昇華性色素含有インク層中に含めておくのが良い。このようなキレート形成可能な昇華性色素としては、例えば特開昭５９−７８８９３号公報、同５９−１０９３４９号公報、同特願平２−２１３３０３号、同２−２１４７１９号、同２−２０３７４２号に記載されている、少なくとも２座のキレートを形成することができるシアン色素、マゼンタ色素およびイエロー色素を挙げることができる。キレートの形成可能な好ましい昇華性色素は、下記一般式で表わすことができる。


【手続補正１７】
【補正対象書類名】明細書
【補正対象項目名】０１２１
【補正方法】変更
【補正の内容】
【０１２１】
いずれの昇華性色素に関しても前記昇華性色素含有インク層に含有される昇華性色素は、形成しようとする画像が単色であるならば、イエロー色素、マゼンタ色素、およびシアン色素の何れであっても良く、形成しようとする画像の色調によっては、三種の色素のいずれか二種以上もしくは他の昇華性色素を含んでいても良い。昇華性色素の使用量は、通常、支持体１ｍ2  当たり０．１〜２０ｇ、好ましくは０．２〜５ｇである。インク層のバインダーとしては特に制限がなく従来から公知のものを使用することができる。さらに前記インク層には、従来から公知の各種添加剤を適宜に添加することができる。昇華型感熱転写記録用インクシートは、インク層を形成する前記各種の成分を溶媒に分散ないし溶解してなるインク層形成用塗工液を調製し、これを支持体の表面に塗工し、乾燥することにより製造することができる。かくして形成されたインク層の膜厚は、通常、０．２〜１０μｍであり、好ましくは、０．３〜３μｍである。


【手続補正１８】
【補正対象書類名】明細書
【補正対象項目名】０１２４
【補正方法】変更
【補正の内容】
【０１２４】
剥離層としては、高ガラス転移温度を有するアクリル樹脂、ポリビニルアセタール樹脂、ポリビニルブチラール樹脂などの樹脂、ワックス類、シリコンオイル類、フッ素化合物、水溶性を有するポリビニルピロリドン樹脂、ポリビニルアルコール樹脂、Ｓｉ変性ポリビニルアルコール、メチルセルロース樹脂、ヒドロキシセルロース樹脂、シリコン樹脂、パラフィンワックス、アクリル変性シリコーン、ポリエチレンワックス、エチレン酢酸ビニルなどの樹脂が挙げられ、他にポリジメチルシロキサンやその変性物、例えばポリエステル変性シリコーン、アクリル変性シリコーン、ウレタン変性シリコーン、アルキッド変性シリコーン、アミノ変性シリコーン、エポキシ変性シリコーン、ポリエーテル変性シリコーン等のオイルや樹脂、またはこの硬化物、等が挙げられる。他のフッ素系化合物としては、フッ素化オレフィン、パーフルオロ燐酸エステル系化合物が挙げられる。好ましいオレフィン系化合物としては、ポリエチレン、ポリプロピレン等の分散物、ポリエチレンイミンオクタデシル等の長鎖アルキル系化合物等が挙げられる。これらの離型剤で溶解性の乏しいものは分散するなどして用いることができる。


【手続補正１９】
【補正対象書類名】明細書
【補正対象項目名】０１３０
【補正方法】変更
【補正の内容】
【０１３０】
この発明で用いられる光学変化素子層は、例えばレリーフ型ホログラムが好ましく用いられる。レリーフ型ホログラムはホログラム形成層とホログラム効果層とを積層してなる。ホログラム形成層は、この発明に反しない限り各種樹脂が選択可能である。例えば、アクリルウレタン樹脂、エポキシ変性アクリル樹脂、アクリルアミド樹脂、ポリスチレン樹脂、不飽和ポリエステル樹脂等樹脂単独、併用、または紫外線硬化剤を添加し、紫外線硬化、または電子線硬化性樹脂による電子線硬化により形成することができる。前記等の各種材料を適宜選択することにより、この発明の屈折率、線熱膨張率を得ることができる。


【手続補正２０】
【補正対象書類名】明細書
【補正対象項目名】０１３１
【補正方法】変更
【補正の内容】
【０１３１】
前記等の各種材料から形成された樹脂層に、ホログラムの干渉模様が凹凸状に形成されているホログラム原版を加圧圧縮させて、凹凸形状を樹脂表面に転写し、硬化し、さらに凹凸形状の表面に十分な透明性とある角度での大きな反射性を兼ね備え、かつホログラム形成層と屈折率の異なる材料からなる薄膜のホログラム効果層を形成することにより得ることができる。ホログラム効果層としては、一般に使用される金属蒸着層、金属酸化物蒸着層等を適宜使用することができる。昼光、照明光等の白色光で像が再生されるホログラムは、通常の状態でもホログラム像が観察されるので、識別性が高く偽変造防止性が高い。


【手続補正２１】
【補正対象書類名】図面
【補正対象項目名】図４
【補正方法】変更
【補正の内容】
【図４】
2001030668.tif 000001